(57)【要約】【課題】  穂先部分の構造を改良することにより、アタリを視覚的に高感度に感知でき、且つ穂先振れの少ない釣竿、およびアタリを視覚的に高感度に感知できる釣り具を提供する。【解決手段】  アタリ感知部１を、その根元部分より撓み易い弾性体２に接続し、当該弾性体２を当該弾性体２より撓み難い物体３に接続することにより、アタリ感知部１がアタリにより高感度に変位し、且つ、当該弾性体２によって竿の長さが短縮できる穂先振れの少ない釣竿、および当該アタリ感知部１から当該物体３まで接続したものを応用した釣り具、により課題を解決する。弾性体は棒状の物でもよいし、コイルスプリング状の物でもよい。【選択図】  図１
0003103371.tif 000002
【実用新案登録請求の範囲】
【請求項１】
釣竿の穂先先端部分（アタリ感知部と呼称する）の根元部分を、その根元部分より撓み易い弾性体に接続し、且つ当該弾性体を、当該弾性体より撓み難い物体、に接続して、アタリおよび釣荷重がアタリ感知部の先端に作用した時に、当該先端から当該弾性体より撓み難い物体までに発生する撓み曲線が非線形特性を有する構造の釣竿および釣り具。当該弾性体は棒状の物でもよいし、コイルスプリング状の物でもよい。また、当該弾性体より撓み難い物体、とは釣竿の一部（釣荷伝導部と呼称する）でもよいし、釣竿以外の如何なる形状の物でもよい。
【考案の詳細な説明】
【技術分野】
【０００１】  本考案は釣竿のアタリを視覚的に高感度に感知出来、且つ釣竿の穂先振れに対する安定度を高めるための、穂先に作用するアタリおよび釣荷重に対して非線形の撓みを持つ釣竿およびそれを利用した釣具に関する技術である。
【背景技術】
【０００２】  アタリの感知機能を上げる従来の技術は、アタリの振動伝達力を高める為の釣竿の構造に関する技術、およびアタリを検出する方法に関する技術が殆どである。例えば釣竿の構造に関する技術としては、接続式釣竿の継部分に金属ラインを用いてアタリの振動伝達力を向上させる技術（特許文献１参照）、アタリによる釣竿の３次固有振動周波数の伝達力の増幅技術（特許文献２参照）、グリップ部に梃子の作用でアタリを効率よく手に伝達する技術（特許文献３参照）、およびアタリの振動を共振させてグリップ部に伝達する技術（特許文献４参照）などがある。アタリの検出方法に関する技術としては、釣糸を介して伝達されるアタリを電気的に検出する技術（特許文献５，６，７参照）およびアタリによる釣竿の撓みを検出する技術（特許文献８参照）などがある。これらの技術は全て、釣竿は穂先に作用するアタリおよび釣荷重に対して線形に撓む構造を成すことを基本とする技術である。
【参考文献１】
特許公開２００３−０７０３９１（要約書）
【参考文献２】
特許公開２００１−２０４３０５（要約書）
【参考文献３】
特許公開２０００−２０１５９２（要約書）
【参考文献４】
特許公開平８−７０７３４（要約書）
【参考文献５】
特許公開平０８−００９８５９（要約書）
【参考文献６】
特許公開平０６−１６９６７４（要約書）
【参考文献７】
特許公開平２００３−１０２３５５（要約書）
【参考文献８】
特許公表平１０−５０１６９２（要約書）
【考案の開示】
【考案が解決しようとする課題】
【０００３】  穂先先端部分の動きを見てアタリを取る漁法として、筏やカセでのダンゴ釣りがある。この漁法で使用するリール釣竿（かかり竿と呼称）はアタリに対する感度を出来るだけ上げる必要から、穂先先端部分の直径を１ｍｍ前後の細長い形状にしてある。このため穂先先端部分が振れ易く、この部分での糸絡みによる穂先の折損事故が発生し易いのが欠点で、これを防止するためには短い竿ほど有利であるが、現在は全長１．８ｍ前後のかかり竿が主流である。しかしこの長さでも折損事故の発生を抑えるには不十分である。【０００４】  また、防波堤などから竿下を狙ったダンゴ釣りの場合に使用する釣竿も、かかり竿と同様な穂先を持った多段繋ぎの長い釣竿が適しているが、穂先先端部分の振れに起因する糸絡みの発生等により、少なくとも現状では市販されていない。【０００５】  通常の釣竿は穂先先端部分に作用する垂直荷重に対して、釣竿が線形に撓む構造を基本としているため、穂先先端部分の直径あるいは長さを変更すると、釣竿全体の撓みが最適な線形曲線となるように、釣竿全体の特性の見直しが必要で、釣竿は１品１用の仕様となりコストダウンが難しい。【０００６】  他方、かかり竿を使わず、直接手で釣る方法（手釣り）によるダンゴ釣りに於いては、アタリは釣糸を指先で感じ取るか又は指で摘んだ釣糸の糸ふけを見て取る。しかしアタリが微妙な場合、その大きさが分かり難く、アタリに対する合わせのタイミングを正確に判断するのが難しい。【０００７】  従って、本考案の課題は穂先部分の撓み曲線を非線形特性にすることにより、アタリを視覚的に高感度に感知でき、且つ糸絡みが少ない釣竿、およびアタリが高感度に感知できる釣り具、を提供して前述の問題点を解決しようとするものである。
【課題を解決するための手段】
【０００８】  釣竿の穂先先端部分（アタリ感知部と呼称する）の根元部分を、その根元部分より撓み易い弾性体に接続し、且つ当該弾性体を、当該弾性体より撓み難い物体、に接続して、穂先から当該弾性体より撓み難い物体、までの釣荷重による撓み曲線を非線形特性と成す。当該弾性体は棒状の物でもよいし、コイルスプリング状の物でもよい。また、当該弾性体より撓み難い物体、とは釣竿の一部（釣荷伝導部と呼称する）でもよいし、釣竿以外の如何なる形状の物でもよい。この当該弾性体より撓み難い物体の種類により、アタリが視覚的に高感度に感知できる釣竿、手釣り用具、そして汎用アタリ高感度穂先となり前述の問題点を解決する。
【考案の効果】
【０００９】  図１は本考案の釣竿の一実施例で、アタリ感知部１（長さ１０〜１５ｃｍ）とコイルスプリング２（長さ２〜３ｃｍ）を使用した弾性体と釣荷伝導部３（釣荷重を竿胴部分以降へスムーズに伝導する部分）で構成した、外ガイド式リール竿の穂先部分を示す。この図を使って本考案の効果を説明する。【００１０】  釣糸を介してアタリ感知部の先端部４に作用する垂直方向の力５が、コイルスプリング２に撓みを生じさせない範囲（小さいアタリ）の時は、アタリ感知部１はコイルスプリング２との接続点６を固定点とした片持梁として働くため、アタリ感知部１はアタリの力５に応じて撓むが、コイルスプリング２および釣荷伝導部３は撓まない。従ってアタリ感知部１はコイルスプリング２および釣荷伝導部３以降の制約を受けることなく、アタリ専用の感知特性だけを指標として製作することが可能である。【００１１】  アタリの力が更に強くなるとコイルスプリング２が撓み始める。そしてアタリが釣荷伝導部３に撓みを発生させる直前の力８に達した時、コイルスプリング２は９０度に近い角度に曲がった状態になり、アタリ感知部１は垂直に近い状態となる。即ちコイルスプリング２の曲強度は、アタリ感知部１が垂直状態となるアタリの力の限界を決定する。従って本考案によるアタリの感知範囲はアタリ感知部の先端部４が水平状態（アタリ０）から垂直状態（アタリ感知最大）までの範囲となる。この範囲は前述したアタリ感知部１の特性およびコイルスプリング２の曲強度、あるいはその両者の組み合わせにより、変更できるので、釣り場の状況に応じた仕掛けや釣の対象魚に対する最適なアタリ感知特性を得ることが出来る。従って本考案のアタリを高感度に感知できる方法の主体は、アタリ感知部１をコイルスプリング２に接続し、この構造によるアタリに対するアタリ感知部１の高感度な変位を視覚的に捕らえるところにある。【００１２】  また９０度に曲がるコイルスプリング２と等価の撓み分を、撓み曲線が線形特性である従来の釣竿に置き換えた場合、当該部分の長さは、コイルスプリング２の長さより長くなるのは明らかであるので、従来の釣竿に比べて、その分釣竿の長さを短くすることが可能である。【００１３】  更に大きいアタリあるいは魚の針掛りによる大きい釣荷重９が釣糸に作用した時は、釣糸ガイドを介して釣荷伝導部３以降に撓みが発生して釣荷重９を吸収する。この時、コイルスプリング２は釣荷伝導部３以降の撓みに応じて曲がるが、アタリ感知部１は略垂直状態を保持するため、アタリ感知部１は釣荷重の影響を殆ど受けない。即ち釣荷伝導部３以降は、アタリ感知部１およびコイルスプリング２の制約を受けず、釣荷重９のみを指標にして製作することが出来る。一方、アタリ感知部１およびコイルスプリング２も前述の通りアタリの感知度の特性のみを指標にして製作出来るので、当該各部分を独立した特性に設計すればよいので、本考案は釣竿全体の製造コスト削減にも繋がる。【００１４】  釣荷伝導部３以降は釣荷重のみに対応する特性を有すればよいから、釣荷伝導部３の先端を比較的太く出来ること、およびコイルスプリング２により、竿胴の振動がアタリ感知部１に伝播し難くなり、その結果アタリ感知部１の振れが抑制されるため、釣荷伝導部３以降を繋ぎ目のない１本の短い竿にすること、あるいは当該部分を長くして穂先振れの少ない安定した長竿にすることも可能である。更にアタリ感知部１の振れが少ないので当該部分への糸絡みに起因する折損事故は殆ど発生しない。【００１５】  アタリを視覚的に高感度に感知できるアタリ感知部１０１とコイルスプリング１０２に、弾性体より撓み難い物体として握り柄を接続した手釣り用具（図３）は、微妙なアタリでもアタリ感知部１０１の変位が、指で摘まんだ釣糸の糸ふけよりも遥かに大きく、且つアタリの力に比例するので、従来の手釣り方法に比べて合わせのタイミングが非常に取り易い。【００１６】  アタリ感知部２０１とコイルスプリング２０２を、汎用リール釣竿の穂先の先端部分に固定すれば、アタリを視覚的に高感度に感知できる釣竿に簡単に改良出来る。（図４）
【考案を実施するための最良の形態】
【００１７】  アタリ感知部を、その根元部分より撓み易い弾性体に接続し、且つ当該弾性体を弾性体より撓み難い釣荷伝導部に接続した釣竿、および当該釣荷伝導部の代わりに握り柄に接続した手釣り用具、そして、当該釣荷伝導部の代わりに、汎用リール釣竿の穂先の先端部分に、取り付け取り外しが容易な冶具を接続した汎用アタリ高感度穂先。弾性体は棒状の物でもよいし、コイルスプリング状の物でもよい。
【実施例】
【００１８】  図１は本考案の釣竿の一実施例で、アタリ感知部１の先端部４から接続部６への直径の変化は、徐々に太くするか、又は途中まで変化なくその後太くする等、感度特性に合わせて形状を決める。一般にはテーパー形状であってアタリ感度の高い感知部ほど先端部を細く長くする。但し接続部６のアタリ感知部側は、コイルスプリング２を直角方向に曲げるに十分な剛度を有する構造に（例えば直径を太く）する。【００１９】  アタリ感知部１とスプリング２の接続はネジ込み式あるいは嵌め込み式等により着脱可能な構造とする。図２はネジ込み式の一実施例を示した詳細断面図である。アタリ感知部１の根元に雄ネジ１２を固定し、雌ネジ１３をコイルスプリング２側に固定して、雄ネジ１２と雌ネジ１３の間で着脱可能な構造とした例である。【００２０】  コイルスプリング２と釣荷伝導部３との接続はアタリ感知部１の取り付けと同様にネジ込み式により着脱可能である。雌ネジ１６をコイルスプリング２側に固定し、釣荷伝導部３に雄ネジ１５を固定して、雄ネジ１５と雌ネジ１６の間で着脱可能な構造とした例である。アタリ感知部１と雌ネジ１３の間のパッキン用Ｏリング１４、および釣荷伝導部３と雌ネジ１６の間のパッキン用Ｏリング１７は、アタリ感知部１の釣糸ガイドと釣荷伝導部３の釣糸ガイドの穴の列が一直線に調節できるように、ネジ込み代を設けるためのものである。コイルスプリング２と釣荷伝導部３との接続は着脱可能であるが固定方式としても差し支えないが、アタリ感知特性はアタリ感知部１の種類に限られ、コイルスプリング２との組み合わせの選択肢はない。【００２１】  コイルスプリング２に釣糸ガイドは設置しない。図１に於いて、釣荷伝導部の最初の釣糸ガイド１１は、コイルスプリング２に直近の部位に取り付ける。一方、コイルスプリング２に近接するアタリ感知部１の釣糸ガイド１０は、釣荷重８によりコイルスプリング２が９０度に近い角度に曲がった時、アタリ感知部１が釣荷伝導部３のガイド１１を基点として出来るだけ垂直となるような位置に取り付ける。【００２２】  図３は本考案の手釣り用具の一実施例で、アタリ感知部１０１とコイルスプリング１０２を使用した弾性体、そして釣糸保護装置１８と釣糸固定ピンチバー１９を、ネジ２３，２４で固定した握り柄２０で構成する。アタリ感知部１０１とコイルスプリング１０２についての説明内容は前述（釣竿の説明）の通りである。コイルスプリング１０２は、釣糸２７に作用する垂直な釣荷重２８によりコイルスプリングが９０度近くに曲がった時、釣糸保護装置１８の先端部に釣糸が接する位置とアタリ感知部１０１が略垂直となるように握り柄２０に取り付ける。この取り付けは釣竿の実例で記述したとおり着脱可能な構造としてもよい。【００２３】  釣糸保護装置１８は、釣糸が釣糸保護装置１８から横に外れないように装置の縁を若干高くした上部開放のコの字型を形成する。本装置１８はアタリに合わせて握り柄を強く引き上げた時、釣糸が釣糸保護装置１８の底面と接する部分２１で発生すると予想される釣糸の損傷を防止するため、ゴムの緩衝材２２を釣糸と接する釣糸保護装置１８の底面に貼り付ける。釣糸固定ピンチバー１９は握り柄２０との隙間に釣糸を挟む構造で、ゴム製の釣糸滑り止め材２５は、釣糸固定ピンチバー１９の、またゴム製の釣糸滑り止め材２６は握り柄２０の、釣糸を挟む各々の面に張る。釣糸固定ピンチバー１９を指で強く押し付ければ釣糸の握り柄２０への固定圧力が増して釣糸の固定が更に強くなる。一方この隙間から釣糸を外せば釣糸は即座に自由となるので、手釣り特有の釣糸の送り出しなどにも対応出来る。【００２４】  図４は市販の汎用リール釣竿を、アタリが高感度な釣竿に簡単に改良出来る汎用アタリ高感度穂先の一実施例である。アタリ感知部２０１とコイルスプリング２０２および高感度穂先固定冶具２９で構成し、この固定冶具２９はコイルスプリング２０２に固定されている。アタリ感知部２０１とコイルスプリング２０２についての説明内容は前述（釣竿の説明）の通りである。この固定冶具２９はアタリ高感度穂先を汎用リール釣竿の穂先３０の先端部分を挟んで固定するため、取り付け取り外しが容易である。
【図面の簡単な説明】
【００２５】
【図１】外ガイド式リール竿に於ける本考案の穂先部分の一実施例で、アタリの大きさに対する穂先部分の典型的な挙動も併記した図である。
【図２】本考案の外ガイド式リール竿の穂先部分の、アタリ感知部とコイルスプリングおよびコイルスプリングと釣荷伝導部、の取り付け詳細の一実施例を示した断面図である。
【図３】本考案の手釣り用具の一実施例を示した図である。
【図４】市販の釣竿に取り付ける汎用アタリ高感度穂先の一実施例を示した図である。
【符号の説明】
【００２６】１      釣竿に使用されたアタリ感知部
２      釣竿に使用されたコイルスプリング
３      釣荷伝導部
４      アタリ感知部の先端部
５      釣糸を介してアタリ感知部の先端部に作用する垂直方向の小さいアタリの力
６      アタリ感知部１とコイルスプリング２との接続点
７      コイルスプリング２と釣荷伝導部３との接続点
８      釣荷伝導部３が撓み始める直前の、釣糸に作用した垂直方向のアタリの力
９      釣糸に作用した釣荷伝導部３を撓ませるに足る垂直方向の釣荷重
１０    コイルスプリングに近接するアタリ感知部の釣糸ガイド
１１    コイルスプリングに直近の釣荷伝導部の釣糸ガイド
１２    アタリ感知部に固定された雄ネジ
１３    コイルスプリングに固定された雌ネジ
１４    アタリ感知部とコイルスプリングの間のＯリング
１５    釣荷伝導部に固定された雄ネジ
１６    コイルスプリングに固定された雌ネジ
１７    コイルスプリングと釣荷伝導部の間のＯリング
１８    釣糸保護装置
１９    釣糸固定ピンチバー
２０    手釣り用握り柄（弾性体より撓み難い物体の１例）
２１    コイルスプリングが９０度近く曲がるに足る垂直荷重２８が釣糸に作用した時、釣糸損傷防止用ゴム製の緩衝材２２がない場合の釣糸が接する釣糸保護装置底面の角の部分
２２    釣糸保護装置に張り付けた、釣糸損傷防止用のゴム製緩衝材
２３    釣糸保護装置を握り柄に固定するためのネジ
２４    釣糸固定ピンチバーを握り柄に固定するためのネジ
２５    釣糸固定ピンチバーの釣糸を挟む面に張り付けたゴム製の釣糸滑り防止材
２６    握り柄の釣糸を挟む面に張り付けたゴム製の釣糸滑り防止材
２７    手釣り用具に於ける釣糸
２８    釣糸２７に作用した、コイルスプリングを９０度近く曲げるに足る垂直方向の釣荷重
２９    高感度穂先固定冶具
３０    汎用リール釣竿の穂先
３１    汎用アタリ高感度穂先に於ける釣糸
１０１  手釣り用具に使用されたアタリ感知部
１０２  手釣り用具に使用されたコイルスプリング
２０１  高感度穂先固定冶具に固定されたアタリ感知部
２０２  高感度穂先固定冶具に固定されたコイルスプリング
【図１】
0003103371.tif 000003
【図２】
0003103371.tif 000004
【図３】
0003103371.tif 000005
【図４】
0003103371.tif 000006
【手続補正書】
【提出日】平成15年12月15日(2003.12.15)
【手続補正１】
【補正対象書類名】実用新案登録請求の範囲
【補正対象項目名】全文
【補正方法】変更
【補正の内容】
【実用新案登録請求の範囲】
【請求項１】
釣竿の穂先先端部分（アタリ感知部と呼称する）の根元部分を、その根元部分より撓み易い弾性体に接続し、且つ当該弾性体を、当該弾性体より撓み難い物体、に接続した構造を有する釣竿および釣り具。当該弾性体は棒状の物でもよいし、コイルスプリング状の物でもよい。また、当該弾性体より撓み難い物体、とは釣竿の一部（釣荷伝導部と呼称する）でもよいし、釣竿以外の如何なる形状の物でもよい。
【手続補正２】
【補正対象書類名】明細書
【補正対象項目名】０００１
【補正方法】変更
【補正の内容】
【０００１】  本考案は釣竿のアタリを視覚的に高感度に感知出来、且つ釣竿の穂先振れに対する安定度を高めるための、穂先の構造に関する技術である。
【手続補正３】
【補正対象書類名】明細書
【補正対象項目名】０００２
【補正方法】変更
【補正の内容】
【０００２】  アタリの感知機能を上げる従来の技術は、アタリの振動伝達力を高める為の釣竿の構造に関する技術、およびアタリを検出する方法に関する技術が殆どである。例えば釣竿の構造に関する技術としては、接続式釣竿の継部分に金属ラインを用いてアタリの振動伝達力を向上させる技術（特許文献１参照）、アタリによる釣竿の３次固有振動周波数の伝達力の増幅技術（特許文献２参照）、グリップ部に梃子の作用でアタリを効率よく手に伝達する技術（特許文献３参照）、およびアタリの振動を共振させてグリップ部に伝達する技術（特許文献４参照）などがある。アタリの検出方法に関する技術としては、釣糸を介して伝達されるアタリを電気的に検出する技術（特許文献５，６，７参照）およびアタリによる釣竿の撓みを検出する技術（特許文献８参照）などがある。
【手続補正４】
【補正対象書類名】明細書
【補正対象項目名】０００５
【補正方法】変更
【補正の内容】
【０００５】  通常の釣竿は穂先先端部分に作用する垂直荷重に対して、釣竿が撓む構造を基本としているため、穂先先端部分の直径あるいは長さを変更すると、釣竿全体が最適な撓み曲線を呈するように、釣竿全体の特性の見直しが必要で、釣竿は１品１用の仕様となりコストダウンが難しい。
【手続補正５】
【補正対象書類名】明細書
【補正対象項目名】０００７
【補正方法】変更
【補正の内容】
【０００７】  従って、本考案の課題は穂先部分の構造を改良することにより、アタリを視覚的に高感度に感知でき、且つ糸絡みの少ない釣竿、およびアタリを視覚的に高感度に感知できる釣り具、を提供して前述の問題点を解決しようとするものである。
【手続補正６】
【補正対象書類名】明細書
【補正対象項目名】０００８
【補正方法】変更
【補正の内容】
【０００８】  釣竿の穂先先端部分（アタリ感知部と呼称する）の根元部分を、その根元部分より撓み易い弾性体に接続し、且つ当該弾性体を、当該弾性体より撓み難い物体、に接続する。当該弾性体は棒状の物でもよいし、コイルスプリング状の物でもよい。また、当該弾性体より撓み難い物体、とは釣竿の一部（釣荷伝導部と呼称する）でもよいし、釣竿以外の如何なる形状の物でもよい。この当該弾性体より撓み難い物体、の種類により、アタリが視覚的に高感度に感知できる釣竿、手釣り用具、そして汎用アタリ高感度穂先となり前述の問題点を解決する。
【手続補正７】
【補正対象書類名】明細書
【補正対象項目名】００１１
【補正方法】変更
【補正の内容】
【００１１】  アタリの力が更に強くなるとコイルスプリング２が曲がり始め、その後はコイルスプリング２と釣荷伝導部３の接続点７を支点とした梃子の作用により、僅かなアタリの力の増加でもコイルスプリング２が曲がる。そして釣荷伝導部３に撓みを発生させる直前の力８に達した時、コイルスプリング２は９０度に近い角度に曲がり、アタリ感知部１は垂直に近い状態となる。即ちアタリの感度限界はコイルスプリング２の曲強度によって決定され、曲強度を小さくすればアタリの感度が上げることが出来る。従って本考案によるアタリの感知範囲はアタリ感知部の先端部４が水平状態（アタリ０）から垂直状態（アタリ感知最大）までの範囲となる。この範囲は前述したアタリ感知部１の特性およびコイルスプリング２の曲強度、あるいはその両者の組み合わせにより、変更できるので、釣り場の状況に応じた仕掛けや釣の対象魚に対する最適なアタリ感知特性を得ることが出来る。従って本考案のアタリを高感度に感知できる方法の主体は、アタリ感知部１をコイルスプリング２に接続し、この構造によるアタリに対するアタリ感知部１の高感度な変位を視覚的に捕らえるところにある。
【手続補正８】
【補正対象書類名】明細書
【補正対象項目名】００１２
【補正方法】変更
【補正の内容】
【００１２】  また９０度に曲がった状態のコイルスプリング２と等価の撓み分を、従来の釣竿に置き換えた場合、当該置き換え部分の相当長さは、コイルスプリング２の長さより長くなるのは明らかである。よって、本考案の釣竿は従来の釣竿に比べて、９０度に曲がったコイルスプリング２の撓み分に相当する釣竿の長さから、コイルスプリング２の長さを差し引いた残りの長さ分だけは、釣竿の長さを短くすることが可能である。
【手続補正９】
【補正対象書類名】明細書
【補正対象項目名】００１５
【補正方法】変更
【補正の内容】
【００１５】  アタリを視覚的に高感度に感知できるアタリ感知部１０１とコイルスプリング１０２に、弾性体より撓み難い物体として握り柄を接続した手釣り用具（図３）は、微妙なアタリでもアタリ感知部１０１の変位が、指で摘まんだ釣糸の糸ふけよりも遥かに大きく、且つアタリの力に比例するので、従来の手釣り方法に比べて合わせのタイミングが非常に取り易い。更に、アタリに合わせて握り柄を強く上部に引き上げても、コイルスプリング２が９０度に曲がることによって、アタリ感知部１は垂直状態となり、当該アタリ感知部１を折損することはない。
【手続補正書】
【提出日】平成16年3月25日(2004.3.25)
【手続補正１】
【補正対象書類名】実用新案登録請求の範囲
【補正対象項目名】全文
【補正方法】変更
【補正の内容】
【実用新案登録請求の範囲】
【請求項１】
釣竿の穂先先端部分（アタリ感知部と呼称する）の根元部分を、その根元部分より撓み易い弾性体に接続し、且つ当該弾性体を、当該弾性体より撓み難い物体、に接続した構造を有する釣竿。